(57)【特許請求の範囲】
【請求項１】
コネクタハウジングに保持されたバスバーと、電子部品のリード線とを接続する、バスバーとリード線との接続構造であって、
前記バスバーには、一面側に屈曲され、該一面側と他面側との間に前記リード線を挟んでかしめ圧着されて保持するリード線保持部が設けられ、
前記リード線保持部には、その内側に配された前記リード線の一部を外側に露出する孔部が貫通形成され、
前記バスバーと前記リード線とを前記孔部に対応する位置でレーザー溶接により溶着するバスバーとリード線との接続構造。
【請求項２】
前記リード線保持部には、前記リード線を挿通可能なスリットが貫通形成され、このスリットを挿通した前記リード線が、前記リード線保持部に保持されている請求項１に記載のバスバーとリード線との接続構造。
【請求項３】
前記スリットは、前記リード線保持部の屈曲部に設けられるとともに、前記リード線保持部の一面側から他面側にわたって形成されている請求項２に記載のバスバーとリード線との接続構造。
【発明の詳細な説明】
【技術分野】
【０００１】
本発明は、コネクタハウジングに保持されたバスバーと、電子部品のリード線とを接続する、バスバーとリード線との接続構造に関する。
【背景技術】
【０００２】
従来、コンデンサ等の電子部品を内蔵した電子部品付きコネクタとして、コネクタハウジングに保持されたバスバーに、電子部品のリード線が接続されたものが知られている。例えば下記特許文献１に記載のコネクタにおいては、電子部品のリード線は、バスバーに設けられた貫通孔に挿通されて半田付け等により接続されている。
【先行技術文献】
【特許文献】
【０００３】
【特許文献１】特開２００７−２８７６４４号公報
【発明の概要】
【発明が解決しようとする課題】
【０００４】
上記のような電子部品付きコネクタでは、バスバーとリード線とを接続する方法として、半田付け、抵抗溶接またはレーザー溶接等が挙げられる。そして、耐久性等の面から、抵抗溶接またはレーザー溶接が望ましいと考えられる。しかし、抵抗溶接は、被溶接物に接触させる電極の研磨や交換等、電極の管理を精密に行う必要があるので、電極が不要なレーザー溶接により接続したいとの要望があった。
ところが、レーザー溶接は、バスバーとリード線との溶接個所を、予め密着させておく必要があり、また、レーザー光が乱反射すると、その反射光によってコネクタハウジングが焼損する虞があるため、難しいという問題があった。
【０００５】
本発明は上記のような事情に基づいて完成されたものであって、コネクタハウジングに保持されたバスバーと、電子部品のリード線とを、容易にレーザー溶接することが可能なバスバーとリード線との接続構造を提供することを目的とする。
【課題を解決するための手段】
【０００６】
本発明のバスバーとリード線との接続構造は、コネクタハウジングに保持されたバスバーと、電子部品のリード線とを接続する、バスバーとリード線との接続構造であって、前記バスバーには、一面側に屈曲され、該一面側と他面側との間に前記リード線を挟んでかしめ圧着されて保持するリード線保持部が設けられ、前記リード線保持部には、その内側に配された前記リード線の一部を外側に露出する孔部が貫通形成され、前記バスバーと前記リード線とを前記孔部に対応する位置でレーザー溶接により溶着するものである。
このような構成によれば、リード線は、リード線保持部に挟み込まれることでバスバーに密着して固定され、また孔部内にレーザー光を照射することにより、その反射光を絞ることができるから、コネクタハウジングに保持されたバスバーと電子部品のリード線とを、容易にレーザー溶接することができる。また、リード線とバスバーとが強固に固定されるから、接続信頼性を高めることができる。
【０００７】
また、前記リード線保持部には、前記リード線を挿通可能なスリットが貫通形成され、このスリットを挿通した前記リード線が、前記リード線保持部に保持されているものとしてもよい。このような構成によれば、スリットにリード線を挿通するだけの簡単な作業で、リード線保持部に対してリード線を位置決めすることができる。
【０００８】
また、前記スリットは、前記リード線保持部の屈曲部に設けられるとともに、前記リード線保持部の一面側から他面側にわたって形成されているものとしてもよい。このような構成によれば、リード線保持部に対してリード線が傾いていても、リード線をスリットに容易に挿通することができ、また、リード線を挟むためにリード線保持部を容易に屈曲することができる。
【発明の効果】
【００１０】
本発明によれば、コネクタハウジングに保持されたバスバーと、電子部品のリード線とを、容易にレーザー溶接することが可能なバスバーとリード線との接続構造を提供することができる。
【図面の簡単な説明】
【００１１】
【図１】本実施形態における電子部品付きコネクタを示す正面図
【図２】電子部品付きコネクタを示す平面図
【図３】第一バスバーを示す平面図
【図４】第一バスバーを示す側面図
【図５】リード線保持部の開き状態を示す、バスバーおよびコンデンサの概略側面図
【図６】リード線保持部の開き状態を示す、バスバーおよびコンデンサの概略断面図
【図７】リード線保持部の閉じ状態を示す、バスバーおよびコンデンサの概略側面図
【図８】リード線保持部の閉じ状態を示す、バスバーおよびコンデンサの概略平面図
【図９】孔部内に照射されたレーザー光およびその反射光を示す、バスバーおよびリード線の概略断面図
【発明を実施するための形態】
【００１２】
以下、本発明を具体化した実施形態について、図１〜図９を参照しつつ詳細に説明する。
本実施形態では、本発明にかかるバスバーとリード線との接続構造を、コンデンサ付きコネクタに適用した例を説明する。
本実施形態におけるコンデンサ付きコネクタ（以後、単にコネクタ３０と称する）は、コネクタハウジング３１に保持されたバスバー１０に、コンデンサ（電子部品）２１のリード線２０が接続されたものである。以下、各構成部材において、このコネクタ３０の相手側コネクタとの嵌合面側（図２における上側）を前側、その反対側を後側として説明する。
【００１３】
コネクタハウジング３１は合成樹脂製であって、インサート成形によりバスバー１０に一体に形成されている。コネクタハウジング３１は、全体として幅方向（図１の左右方向）に長い扁平な形状をなしている。コネクタハウジング３１は、図示しない相手側コネクタが嵌合するフード部３２と、コンデンサ２１が収容される電子部品収容部３３とを有している。
フード部３２は、前方に開口する筒状をなし、その内側には、バスバー１０に設けられた複数の端子部１１が、コネクタハウジング３１の幅方向に一列に並んで配されている。
【００１４】
コンデンサ２１は、略円柱形状をなすコンデンサ本体２２と、その軸方向の一端から導出された一対のリード線２０とを備えている。リード線２０は丸ピン形状をなし、コンデンサ本体２２の一端から略垂直に導出され、その先端部がバスバー１０に接続されている。一対のリード線２０は、前後に所定の間隔をあけて配され、そのうち後側に配される一方のリード線（第一リード線２０Ａと称する）は、前側に配される他方のリード線（第二リード線２０Ｂと称する）よりも長い寸法を有している。
【００１５】
電子部品収容部３３は、コネクタハウジング３１の後端部に設けられ、コネクタハウジング３１の幅方向における一端側に寄った位置にある（図２参照）。この電子部品収容部３３には、コンデンサ２１が横向き（軸線がコネクタハウジング３１の幅方向に一致する向き）で、収容されている。電子部品収容部３３は、コンデンサ本体２２の外周面に沿って円弧上に凹んだ形状をなすとともに、コンデンサ本体２２の軸方向の両側に位置する壁部３４を有している。
【００１６】
電子部品収容部３３の壁部３４のうちコネクタハウジング３１の中央側に位置する壁部３４には、リード線２０を保持する保持溝３５が形成されている。保持溝３５は、一対のリード線２０の間隔に合わせて一対が設けられている。保持溝３５は上方へ開放され、上側からリード線２０を嵌め込むことが可能とされている。保持溝３５に嵌め込まれたリード線２０は、前後方向の位置決めがなされる。
【００１７】
バスバー１０は、金属等の導電性の板材を打ち抜いて成形されている。バスバー１０は、タブ状をなす複数の端子部１１と、これらを連結する連結部１２とを有し、後述するリード線保持部１５を除く略全体が、平坦な板面を構成している。各端子部１１は、相手側コネクタに保持された図示しない相手側の端子金具と接続する。
【００１８】
バスバー１０は、コネクタハウジング３１に一対が保持され、その一対のバスバー１０は、端子部１１の数が異なるものとされている。一対のバスバー１０のうち端子部１１の数が少ないものを第一バスバー１０Ａと称し、端子部１１の数が多いものを第二バスバー１０Ｂと称する。なお、本実施形態では、第一バスバー１０Ａは、５本の端子部１１を有し、第二バスバー１０Ｂは、７本の端子部１１を有している。
【００１９】
一対のバスバー１０は、コネクタハウジング３１の幅方向に、同一高さに並べて配置されている。第二バスバー１０Ｂは、電子部品収容部３３の前方に保持され、第一バスバー１０Ａは、電子部品収容部３３から横方向にずれた位置に保持されている。
各バスバー１０には、連結部１２から後側（端子部１１とは反対側）へ突出する突出部１３が設けられ、この突出部１３の先端部が、コンデンサ２１のリード線２０が接続されるリード線接続部１４とされている。
【００２０】
突出部１３は、各バスバー１０の連結部１２のうちコネクタハウジング３１の中央側に配される端部に設けられている。第一バスバー１０Ａの突出部１３と、第二バスバー１０Ｂの突出部１３とは、連結部１２からの突出寸法が異なっており、第一バスバー１０Ａの突出部１３の突出寸法は、第二バスバー１０Ｂの突出部１３の突出寸法よりも大きくされている（図２参照）。そして、第一バスバー１０Ａのリード線接続部１４と、第二バスバー１０Ｂのリード線接続部１４とは、ずれた位置に配されている。
【００２１】
リード線接続部１４には、上面側（一面側）に屈曲されることでその間にリード線２０を挟んで保持するリード線保持部１５が設けられている。リード線保持部１５は、突出部１３から側方（突出部１３に対して直角方向）に突出し、その突出端において、それよりも先の部分が反対側に屈曲されている。リード線保持部１５は、電子部品収容部３３側に突出している。
【００２２】
リード線保持部１５は、図２〜図５に示すように、突出部１３と同一板面をなす下板部１５Ａと、この下板部１５Ａの上側に重ねられる上板部１５Ｂと、下板部１５Ａと上板部１５Ｂとの間においてＲ形状をなして屈曲する屈曲部１５Ｃとを有している。下板部１５Ａおよび上板部１５Ｂは、それぞれ平坦な板状をなしている。
【００２３】
リード線保持部１５の幅寸法は、突出部１３の幅寸法と同等の寸法とされ、下板部１５Ａから上板部１５Ｂにわたる全体において略一定とされている。また、第一バスバー１０Ａと第二バスバー１０Ｂとにおいて、リード線保持部１５の幅寸法は、同等とされている。
リード線保持部１５は、リード線２０が接続される前の段階では、上板部１５Ｂと下板部１５Ａとが開いた開き状態（図５参照）とされ、上板部１５Ｂと下板部１５Ａとの間にリード線２０が配された後に、上板部１５Ｂと下板部１５Ａとが密着する閉じ状態（図７参照）とされる。
【００２４】
リード線保持部１５の開き状態においては、上板部１５Ｂが下板部１５Ａに対して斜めに立ち上がり、上板部１５Ｂと下板部１５Ａとが鋭角をなしている。
また、リード線保持部１５の閉じ状態においては、リード線２０を挟んでいない部分は、上板部１５Ｂが完全に倒れて下板部１５Ａに密着している。なお、リード線保持部１５の閉じ状態においては、上板部１５Ｂの端縁（屈曲部１５Ｃとは反対側の端縁）が、突出部１３の側縁とほぼ同じ位置に配される。
【００２５】
リード線保持部１５は、リード線２０を挟んでかしめ圧着され、上板部１５Ｂ、下板部１５Ａおよびリード線２０が互いに密着して接合されている。リード線２０の両側においては、上板部１５Ｂと下板部１５Ａとが直接に密着して接合され、リード線２０の介在位置においては、上板部１５Ｂと下板部１５Ａとがリード線２０に密着して接合されている。
【００２６】
リード線保持部１５には、リード線２０を挿通可能なスリット１６が貫通形成されている。スリット１６は、リード線保持部１５の屈曲部１５Ｃ側に設けられ、その屈曲方向に沿って細長く延びた形状をなしている。スリット１６は、屈曲部１５Ｃの全体から上板部１５Ｂおよび下板部１５Ａにわたって延び、その長手方向の端部は、それぞれ上板部１５Ｂおよび下板部１５Ａに形成されている（図６参照）。なお、スリット１６の両端部は、平面視円弧形状をなしている。
【００２７】
スリット１６は、リード線保持部１５の幅方向の中央に設けられている。スリット１６の幅寸法は、リード線２０の幅寸法（外径寸法）と同じか若干大きい寸法とされ、全長にわたって略一定とされている。
【００２８】
リード線保持部１５が開き状態にあるときには、下板部１５Ａの内側面（板面）がスリット１６によって真横（電子部品収容部３３側）に解放される（図４参照）。そして、リード線保持部１５が閉じ状態にあるときには、スリット１６の長手方向の端縁が上下方向にほぼ一致する位置に配される（図９参照）。
【００２９】
スリット１６を挿通したリード線２０は、リード線保持部１５の幅方向の中央において、リード線保持部１５の屈曲部１５Ｃ側から反対側までの全体にわたり直線状に延びて配置されている。なお、リード線２０の先端は、上板部１５Ｂの先端と同等、もしくは上板部１５Ｂの先端よりも若干外側に突出した位置に配されている。
【００３０】
リード線保持部１５には、その内側に配されたリード線２０の一部を外側に露出する孔部１７が貫通形成されている。孔部１７は、レーザー溶接用に形成されたものである。孔部１７は、図８に示すように、リード線保持部１５の幅方向の略中央に設けられ、リード線保持部１５の閉じ状態においては、突出部１３の幅方向の略中央に位置する。
【００３１】
孔部１７は、略円形をなし、その内径寸法は、スリット１６の幅寸法よりも大きくされている。この孔部１７から、リード線２０とバスバー１０との溶着部分（リード線２０およびバスバー１０のうちリード線２０の両側の部分）が露出されている。
【００３２】
次に、コネクタハウジング３１に保持されたバスバー１０と、コンデンサ２１のリード線２０との接続作業について説明する。
まず、バスバー１０が保持されたコネクタハウジング３１に、コンデンサ２１を取り付ける。このとき、リード線保持部１５は開き状態になっている。そして、コンデンサ２１を斜めに傾けて、一対のリード線２０Ａ，２０Ｂの先端を、それぞれ対応するリード線保持部１５のスリット１６に、斜め上方から挿通し、リード線保持部１５の内側に突入させる。次いで、リード線２０を保持溝３５に嵌めつつ、コンデンサ本体２２を電子部品収容部３３側に押し付けるようにして嵌め込む。すると、コンデンサ２１が水平姿勢（バスバー１０の板面に略平行な姿勢）になり、リード線２０のうちリード線保持部１５内に挿通された部分の全体が、下板部１５Ａの内側面に接触した状態になる（図６参照）。
【００３３】
その後、リード線保持部１５をかしめ圧着し、閉じ状態にする。図４および図５の矢印方向に、上板部１５Ｂを押しつけるようにして、リード線保持部１５を圧着する。すると、リード線２０がリード線保持部１５に強固に密着して固定される。
【００３４】
次いで、レーザー溶接によりリード線２０とバスバー１０とを溶着する。図９に示すように、リード線保持部１５の上方から、孔部１７の奥方に向かって、レーザー光Ｌ１を照射し、リード線２０の周辺（リード線２０の両側）を溶かす。このとき、レーザー光Ｌ１がリード線２０およびバスバー１０に当たって反射し、その反射光Ｌ２は、孔部１７の内周面に当たって外部への散乱が遮られ、上方（軸方向）へ絞られて反射する。そして、リード線２０の両側部分とバスバー１０とが溶けて固着すると、コネクタハウジング３１に保持されたバスバー１０と、電子部品のリード線２０との接続作業が完了する。なお、こうして組み立てられたコンデンサ付きコネクタ３０には、図示しないカバーが装着される。
【００３５】
上記のように構成された本実施形態によれば、以下の効果を奏する。
本実施形態のコンデンサ付きコネクタ３０においては、バスバー１０には、上面側に屈曲されることでその間にリード線２０を挟んで保持するリード線保持部１５が設けられ、リード線保持部１５には、その内側に配されたリード線２０の一部を外側に露出する孔部１７が貫通形成されている。
【００３６】
これにより、リード線保持部１５に挟み込まれたリード線２０は、バスバー１０に密着して固定される。したがって、例えばリード線とバスバーとを密着して保持するための固定手段を別途装着する等の必要がなく、比較的容易にリード線２０とバスバー１０とを密着固定して保持することができる。
【００３７】
また、孔部１７内にレーザー光Ｌ１を照射することにより反射光Ｌ２を絞ることができる。ここで、このような孔部１７がない場合には、レーザー光が、リード線またはバスバーに当たって周囲に乱反射するので、その反射光によりコネクタハウジングが焼損することを防ぐべく、何らかの措置を取る必要がある。そして、例えば、リード線とバスバーとの接続位置をコネクタハウジングから十分に遠ざける等の措置を取った場合には、コネクタの大型化を免れないという問題がある。しかしながら、本実施形態のコネクタ３０においては、リード線保持部１５に孔部１７が設けられているから、この孔部１７内にレーザー光Ｌ１を照射することにより、反射光Ｌ２は周囲に散乱することなく絞られてリード線保持部１５の上側に向かう。したがって、コネクタハウジング３１側に反射することを防ぐことができるので、前述のような措置が不要である。
以上のようなことから、本実施形態のコンデンサ付きコネクタ３０においては、コネクタハウジング３１に保持されたバスバー１０と、電子部品のリード線２０とを、容易にレーザー溶接することができる。
【００３８】
また、リード線保持部１５には、リード線２０を挿通可能なスリット１６が貫通形成され、このスリット１６を挿通したリード線２０が、リード線保持部１５に保持されている。これにより、スリット１６にリード線２０を挿通するだけの簡単な作業で、リード線保持部１５に対してリード線２０を位置決めすることができる。
【００３９】
また、スリット１６は、リード線保持部１５の屈曲部１５Ｃに設けられ、リード線保持部１５の上面側から下面側にわたって形成されている。これにより、スリット１６に対して上方からリード線２０を挿通することができ、かつリード線２０をリード線保持部１５の内側に配置した後、リード線保持部１５を倒してリード線２０を挟み込む際に、スリット１６の端部がリード線２０を持ち上げることを防ぐことができる。したがって、リード線２０を容易にリード線保持部１５に密着固定することができる。
また、リード線保持部１５は、リード線２０を挟んで圧着されている。これにより、リード線２０とバスバー１０とが強固に固定されるから、接続信頼性をより高めることができる。
【００４０】
＜他の実施形態＞
本発明は上記記述及び図面によって説明した実施形態に限定されるものではなく、例えば次のような実施形態も本発明の技術的範囲に含まれる。
【００４１】
（１）上記実施形態では、コンデンサ２１のリード線２０は丸ピン形状をなしているが、これに限らず、例えば、コンデンサのリード線は角柱状であってもよく、また、丸ピン形状のリード線を、リード線保持部を圧着する際に挟圧して扁平な形状にしてもよい。
（２）上記実施形態では、リード線保持部１５は、電子部品収容部３３側の突出端において屈曲され、この屈曲部１５Ｃに貫通形成されたスリット１６にリード線２０を挿通してリード線保持部１５に保持させているが、これに限らず、例えば、リード線保持部は、電子部品収容部とは反対側の端において屈曲され、電子部品収容部側の開放端にリード線を差し入れて、リード線保持部に保持させるものとしてもよい。また、このような場合には、例えばリード線保持部の内側面にリード線の外形に沿う位置決め溝を形成し、この位置決め溝にリード線を嵌め込むことで位置決め保持するものとしてもよい。
（３）上記実施形態では、リード線保持部１５の開き状態において、リード線２０が下板部１５Ａの内側面に接触した状態になるが、これに限らず、例えば、リード線保持部の開き状態において、リード線が下板部の内側面に対して斜めに配され、リード線保持部を閉じ状態にする際に、リード線を屈曲させて下板部に密着するものとしてもよい。
【符号の説明】
【００４２】
１０…バスバー
１５…リード線保持部
１５Ｃ…屈曲部
１６…スリット
１７…孔部
２０…リード線
２１…コンデンサ（電子部品）
３１…コネクタハウジング
【図１】
0005682781.tif 000002
【図２】
0005682781.tif 000003
【図３】
0005682781.tif 000004
【図４】
0005682781.tif 000005
【図５】
0005682781.tif 000006
【図６】
0005682781.tif 000007
【図７】
0005682781.tif 000008
【図８】
0005682781.tif 000009
【図９】
0005682781.tif 000010